(57)【要約】【課題】  表示面の温度ムラによって生ずる画質の劣化を抑制すること。【解決手段】  ２次電池６の充電中に、記憶性表示体２の互いに離れた２つの部位における温度の差の絶対値が所定閾値より大きくなると、つまり、表示面の温度ムラが検出されると、当該充電を中断させるようにした。そのため、充電動作により、２次電池６及び充電電力制御回路５が発熱し、記憶性表示体２が局所的に熱せられ、記憶性表示体２の表示面に温度ムラを生じた場合に、当該充電動作を中断することができる。それゆえ、２次電池６及び充電電力制御回路５による発熱をなくすことができ、記憶性表示体２の表示面に残っている熱を周囲に放散することで、表示面の温度ムラを抑制することができ、その結果、表示面の温度ムラによって生ずる画質の劣化を抑制することができる。【選択図】  図２
2006238660.tif 000002
【特許請求の範囲】
【請求項１】
所定の表示対象情報を所定の表示体の表示面に表示させる情報表示装置であって、
自装置の駆動用の２次電池と、その２次電池の充電状態を制御する充電制御回路とを備え、前記充電制御回路は、前記表示面の温度ムラを検出する温度ムラ検出手段と、前記２次電池の充電中に、前記表示面の温度ムラが検出されると当該充電を中断させる、もしくは当該充電の充電電力を低減する制御手段とを備えたことを特徴とする情報表示装置。
【請求項２】
所定の情報表示装置の駆動用２次電池の充電状態を制御する充電制御回路であって、
前記情報表示装置の表示面の温度ムラを検出する温度ムラ検出手段と、前記２次電池の充電中に、前記表示面の温度ムラが検出されると当該充電を中断させる、もしくは当該充電の充電電力を低減する制御手段とを備えたことを特徴とする充電制御回路。
【請求項３】
前記温度ムラ検出手段は、前記情報表示装置の表示面上の所定部位間の温度差を検出し、その温度差が所定閾値より大きいか否かを判定し、前記制御手段は、前記２次電池の充電中に、前記温度差が所定閾値より大きいと判定されると、当該充電を中断させる、もしくは当該充電の充電電力を低減することを特徴とする請求項２に記載の充電制御回路。
【請求項４】
前記温度ムラ検出手段は、前記情報表示装置の表示面上の複数部位で温度を検出し、その検出された温度のうち、充電電力を生成する生成回路及び前記２次電池により近い第１の部位の温度が、前記生成回路及び前記２次電池からより遠い第２の部位の温度より大きいか否かを判定し、前記制御手段は、前記２次電池の充電中に、前記第１の部位の温度が前記第２の部位の温度より大きいと判定されると、当該充電を中断させる、もしくは当該充電の充電電力を低減することを特徴とする請求項２に記載の充電制御回路。
【請求項５】
前記制御手段は、前記２次電池の充電中に、前記第１の部位の温度が前記第２の部位の温度以下であると判定されると、当該充電の充電電力を増加させることを特徴とする請求項４に記載の充電制御回路。
【発明の詳細な説明】
【技術分野】
【０００１】
本発明は、表示対象情報を表示体に表示させる情報表示装置及び、当該情報表示装置に好適な充電制御回路に関する。
【背景技術】
【０００２】
近年、コレステリック液晶方式や、電気泳動方式等の表示体を備えた情報表示装置の開発が進められている。このような情報表示装置にあっては、一般に、持ち運びやハンドリングが容易となるように、筐体部分が薄型・小型に構成されるため、自装置の駆動用の２次電池や、その２次電池の充電電力の生成回路が表示体に近接して配置されている。
そのため、このような情報表示装置にあっては、充電動作により、２次電池及び充電電力の生成回路が発熱すると、表示体が局所的に熱せられ、表示体の表示面内に温度ムラが生じてしまう恐れがあった。それゆえ、表示階調が温度によって変化しやすい表示体を用いていると、表示面内の温度ムラにより、表示対象画像の画質が劣化する恐れがあった。
【０００３】
また、このような問題を解決する技術、つまり、表示面内の温度ムラによる画質の劣化を防止する技術としては、表示面の周囲温度あるいは自装置の温度を検出し、それらの温度に基づいて、表示体の駆動波形を制御するものがある（例えば、特許文献１参照）。
【特許文献１】特開平２−２７８２２９号公報
【発明の開示】
【発明が解決しようとする課題】
【０００４】
しかしながら、上記従来技術にあっては、駆動波形の制御で補償可能な温度ムラの範囲は比較的狭いため、２次電池及び充電電力の生成回路の発熱量が大きくなり、当該範囲を超える温度ムラを生じると、正しい階調表示ができなくなってしまう恐れがあった。
本発明は、上記従来技術の未解決の課題を解決することを目的としてなされたものであり、表示面の温度ムラによって生ずる画質の劣化を抑制することができる情報表示装置、及び当該情報表示装置に好適な充電制御回路を提供することを課題とする。
【課題を解決するための手段】
【０００５】
上記課題を解決するために本発明の情報表示装置は、所定の表示対象情報を所定の表示体の表示面に表示させる情報表示装置であって、自装置の駆動用の２次電池と、その２次電池の充電状態を制御する充電制御回路とを備え、前記充電制御回路は、前記表示面の温度ムラを検出する温度ムラ検出手段と、前記２次電池の充電中に、前記表示面の温度ムラが検出されると当該充電を中断させる、もしくは当該充電の充電電力を低減する制御手段とを備えたことを特徴とする。
【０００６】
一方、上記課題を解決するために、本発明の充電制御回路は、所定の情報表示装置の駆動用２次電池の充電状態を制御する充電制御回路であって、前記情報表示装置の表示面の温度ムラを検出する温度ムラ検出手段と、前記２次電池の充電中に、前記表示面の温度ムラが検出されると当該充電を中断させる、もしくは当該充電の充電電力を低減する制御手段とを備えたことを特徴とする。
【０００７】
また、前記温度ムラ検出手段は、前記情報表示装置の表示面上の所定部位間の温度差を検出し、その温度差が所定閾値より大きいか否かを判定し、前記制御手段は、前記２次電池の充電中に、前記温度差が所定閾値より大きいと判定されると、当該充電を中断させる、もしくは当該充電の充電電力を低減するようにしてもよい。
このような構成によれば、充電動作により、２次電池及び充電電力の生成回路が発熱し、表示体が局所的に熱せられ、表示体の表示面に温度ムラを生じた場合に、当該充電を中断させる、もしくは当該充電動作における充電電力を低減させることができる。そのため、２次電池及び充電電力の生成回路による発熱をなくす、もしくは抑制することができ、表示面に残っている熱を周囲に放散することで、表示面の温度ムラを抑制することができ、その結果、表示面の温度ムラによって生ずる画質の劣化を抑制することができる。
【０００８】
さらに、前記温度ムラ検出手段は、前記情報表示装置の表示面上の複数部位で温度を検出し、その検出された温度のうち、充電電力を生成する生成回路及び前記２次電池により近い第１の部位の温度が、前記生成回路及び前記２次電池からより遠い第２の部位の温度より大きいか否かを判定し、前記制御手段は、前記２次電池の充電中に、前記第１の部位の温度が前記第２の部位の温度より大きいと判定されると、当該充電を中断させる、もしくは当該充電の充電電力を低減するようにしてもよい。
【０００９】
このような構成によれば、充電動作により、２次電池及び充電電力の生成回路が発熱し、表示体が局所的に熱せられ、表示体の表示面に温度ムラを生じた場合にのみ、当該充電動作を中断させること、もしくは当該充電動作における充電電力を低減させることができる。つまり、充電電力を生成する生成回路や２次電池等の充電時における発熱源に近い部位の温度が、当該発熱源から遠い部位の温度より小さいために、表示体の表示面に温度ムラを生じた場合に、前記充電動作が停止されてしまうことを防止することができる。
【００１０】
また、前記制御手段は、前記２次電池の充電中に、前記第１の部位の温度が前記第２の部位の温度以下であると判定されると、当該充電の充電電力を増加させるようにしてもよい。
このような構成によれば、充電電力を生成する生成回路や２次電池等の充電時における発熱源に近い部位の温度が、当該発熱源から遠い部位の温度より小さいために、表示体の表示面に温度ムラを生じた場合に、前記充電動作による発熱量を増加することができ、当該温度ムラを抑制することができ、その結果、画質の劣化を抑制することができる。
【発明を実施するための最良の形態】
【００１１】
以下、本発明の充電制御回路を適用した情報表示装置を図面に基づいて説明する。
この情報表示装置は、持ち運びが容易となるように薄型に構成され、２次電池及び充電電力制御回路が記憶性表示体に近接して配置されている。そして、この情報表示装置にあっては、充電動作により、２次電池及び充電電力制御回路が発熱し、記憶性表示体が局所的に熱せられ、記憶性表示体の面内に温度ムラを生じた場合に、当該充電動作を停止するように構成した。そのため、記憶性表示体の温度ムラを抑制することができ、その結果、当該温度ムラによって生ずる画質の劣化を抑制し、表示画質を向上することができる。
【００１２】
＜情報表示装置の構成＞
図１は、本発明を適用した情報表示装置１の正面図、及び内部を破断して示す側面図である。また、図２は、情報表示装置１の内部構成を示すブロック図である。この情報表示装置１は、図１及び図２に示すように、記憶性表示体２、制御回路３、温度センサ４、充電電力制御回路５、及び２次電池６を含んで構成される。
記憶性表示体２は、情報表示装置１の前面に配され、制御回路３で駆動されることで、表示面に表示対象画像を表示するコレステリック液晶パネルを含んで構成される。なお、本実施形態では、記憶性表示体２としてコレステリック液晶パネルを含んで構成する例を示したが、これに限られるものではない。例えば、電気泳動表示パネルやツイストネマティック液晶パネル等、各種表示原理を用いた記憶性表示体を用いるようにしてもよい。
【００１３】
制御回路３は、記憶性表示体２と僅かな隙間を隔てて情報表示装置１の本体部に配され、情報表示装置１内の各部を制御する。即ち、表示対象画像が表示されるように記憶性表示体２を駆動する表示体駆動回路７、記憶性表示体２の駆動タイミングを生成する表示体駆動制御回路８、情報表示装置１内の各部を制御するＣＰＵ９、ＲＡＭ１０、ＲＯＭ１１、温度センサ４から出力される温度情報をＡＤ変換するＡＤＣ１２を含んで構成される。
【００１４】
また、ＣＰＵ９は、外部の電力供給源が充電電力制御回路５に２次電池６の充電のための電力を供給可能な状態となると充電電力設定処理を実行する。そして、この充電電力設定処理が実行されると、温度センサ４から出力される温度情報に基づいて２次電池６の充電電力を設定し、その設定された充電電力の情報を充電電力制御回路５に出力する。
充電電力制御回路５は、記憶性表示体２と僅かな隙間を隔てて情報表示装置１の本体部の平面視下側に配される。そして、充電電力制御回路５は、外部の電力供給源（例えば、２次電池６の充電のためのＡＣアダプタ）から供給される電力を、ＣＰＵ９から出力される充電電力の情報が示す電力に変換し、その変換された電力で２次電池６を充電する。
【００１５】
２次電池６は、記憶性表示体２と僅かな隙間を隔てて情報表示装置１の本体部の平面視下側（充電電力制御回路５の近傍）に配される。また、２次電池６は、ニッケル水素電池やリチウムイオン電池を含んで構成され、情報表示装置１内の各部に電力を供給する。
温度センサ４は、記憶性表示体２の裏面の互いに離れた２つの部位に配され、それらの部位で記憶性表示体２の温度を検出する２つのサーミスタ（第１のサーミスタ４Ａ、第２のサーミスタ４Ｂ）を含んで構成される（図２（ｂ）参照）。具体的には、第１のサーミスタ４Ａは、充電電力制御回路５及び２次電池６の近傍に配され、第２のサーミスタ４Ｂは、充電電力制御回路５及び２次電池６から離れた位置に配される。そして、温度センサ４は、第１のサーミスタ４Ａで検出された温度ＴＡの情報及び第２のサーミスタ４Ｂで検出された温度ＴＢの情報（以下「温度情報」とも呼ぶ。）をＡＤＣ１２に出力する。
【００１６】
＜ＣＰＵの動作＞
次に、ＣＰＵ９で実行される充電電力設定処理について説明する。この充電電力設定処理は、外部の電力供給源が充電電力制御回路５に２次電池６の充電のための電力を供給可能な状態となると（電力供給源が充電電力制御回路５に電気的に接続されると）実行される処理であって、図３に示すように、まずそのステップＳ１０１で、２次電池６が満充電状態であるか否かを判定する。そして、満充電状態である場合には（Ｙｅｓ）ステップＳ１０５に移行し、満充電状態ではない場合には（Ｎｏ）ステップＳ１０２に移行する。
【００１７】
前記ステップＳ１０２では、２次電池６の充電電力Ｗcを最大値Ｗcmaxに設定し、その設定された充電電力Ｗc（Ｗcmax）の情報を充電電力制御回路５に出力する。
次にステップＳ１０３に移行して、２つのサーミスタ４Ａ、４Ｂから出力される温度情報が示す温度の差が大きいときに充電電力Ｗcを一時的に「０」に設定する充電電力低減制御処理（後述）を実行してから、ステップＳ１０４に移行する。
【００１８】
前記ステップＳ１０４では、２次電池が満充電状態であるか否かを判定する。そして、満充電状態である場合には（Ｙｅｓ）前記ステップＳ１０５に移行し、満充電状態ではない場合には（Ｎｏ）前記ステップＳ１０３に移行する。
前記ステップＳ１０５では、２次電池６の充電を停止させる。具体的には、２次電池６の充電電力Ｗcを「０」に設定し（リセットし）、その設定された充電電力Ｗc「０」の情報を充電電力制御回路５に出力する。
【００１９】
次に、前記充電電力設定処理のステップＳ１０３で実行される充電電力低減制御処理について説明する。この充電電力低減制御処理は、図４に示すように、まずそのステップＳ２０１で、２つのサーミスタ４Ａ、４Ｂから出力される温度情報が示す記憶性表示体２の２つの部位での温度ＴＡ、ＴＢを検出する。
次に、ステップＳ２０２に移行して、記憶性表示体２の面内に充電動作に起因する温度ムラが生じているか否かを判定する。具体的には、前記ステップＳ２０１で検出された記憶性表示体２の２つの部位での温度ＴＡ、ＴＢの差の絶対値が閾値Ｔthより大きいか否かを判定する。そして、閾値Ｔthより大きい場合には（Ｙｅｓ）ステップＳ２０３に移行し、閾値Ｔth以下である場合には（Ｎｏ）この演算処理をそのまま終了する。ここで、閾値Ｔthは、表示対象画像の画質が劣化しない程度の温度差を示すものである。
【００２０】
前記ステップＳ２０３では、２次電池６の充電電力Ｗcを「０」に設定し、その設定された充電電力Ｗc「０」の情報を充電電力制御回路５に出力する。
次にステップＳ２０４に移行して、予め設定されたｔ秒が経過するのを待ってから、ステップＳ２０５に移行する。
前記ステップＳ２０５では、２次電池６の充電電力Ｗcを最大値Ｗcmaxに設定し、その設定された充電電力Ｗc（Ｗcmax）の情報を充電電力制御回路５に出力してから、この演算処理を終了する。
【００２１】
＜情報表示装置の具体的動作＞
次に、本実施形態の情報表示装置１の動作を具体的状況に基づいて詳細に説明する。
まず、記憶性表示体２を使用しているときに、２次電池６を充電しようと、利用者が電力供給源を充電電力制御回路５に電気的に接続したとする。すると、充電電力設定処理が実行され、図３に示すように、まず、そのステップＳ１０１の判定が「Ｎｏ」となり、ステップＳ１０２で、２次電池６の充電電力Ｗcが最大値Ｗcmaxに設定され、その設定された充電電力Ｗc（Ｗcmax）の情報が充電電力制御回路５に出力される。そして、充電電力制御回路５によって、その情報に基づき、外部の電力供給源から供給される電力が最大値Ｗcmaxに変換され、その変換された電力Ｗcmaxで２次電池６が充電される。
【００２２】
また、ステップＳ１０３で、充電電力低減制御処理が実行される。この充電電力低減制御処理が実行されると、図４に示すように、まず、そのステップＳ２０１で、２つのサーミスタ４Ａ及び４Ｂから出力される温度情報が示す記憶性表示体２の２つの部位での温度ＴＡ、ＴＢが検出される。ここで、記憶性表示体２の面内に温度ムラがなく、記憶性表示体２の２つの部位における温度ＴＡ、ＴＢの差の絶対値が閾値Ｔth以下であったとする。すると、ステップＳ２０２の判定が「Ｎｏ」となり、この演算処理を終了する。
充電電力低減制御処理が終了すると、充電電力設定処理に復帰し、また、２次電池が満充電状態でないため、ステップＳ１０４の判定が「Ｎｏ」となり、前記ステップＳ１０３から上記フローが繰り返し実行されて、最大値Ｗcmaxで２次電池６が充電される。
【００２３】
また、上記フローが繰り返されるうちに、充電動作により、２次電池６及び充電電力制御回路５が発熱し、記憶性表示体が局所的に熱せられ、記憶性表示体２の面内に温度ムラが生じ、記憶性表示体２の２つの部位での温度ＴＡ、ＴＢの差の絶対値が閾値Ｔthより大きくなったとする。すると、ステップＳ２０２の判定が「Ｙｅｓ」となり、ステップＳ２０３で、２次電池６の充電電力Ｗcが「０」に設定され、その設定された充電電力Ｗc「０」の情報が充電電力制御回路５に出力される。また、ステップＳ２０４で、予め設定されたｔ秒が経過するのを待ってから、ステップＳ２０５で、２次電池６の充電電力Ｗcが最大値Ｗcmaxに設定され、その充電電力Ｗcの情報が充電電力制御回路５に出力されてから、この演算処理を終了する。そして、充電電力制御回路５によって、外部の電力供給源から供給される電力が「０」とされ、２次電池６の充電がｔ秒間中断される。
【００２４】
また、上記フロー（２次電池６の充電動作が中断）が繰り返されるうちに、記憶性表示体２の温度ムラが解消し、記憶性表示体２の２つの部位における温度ＴＡ、ＴＢの差の絶対値が閾値Ｔth以下になったとする。すると、前記ステップＳ２０２の判定が「Ｎｏ」となり、充電電力制御処理が直ぐに演算処理を終了し、充電電力制御回路５によって、外部の電力供給源から供給される電力が「０」とされ、２次電池６の充電が再開される。
【００２５】
さらに、上記フロー（２次電池６の充電動作の再開）が繰り返されるうちに、２次電池が満充電状態となったとする。すると、前記ステップＳ１０４の判定が「Ｙｅｓ」となり、ステップＳ１０５で、２次電池６の充電電力Ｗcが「０」に設定され、その設定された充電電力Ｗc「０」の情報が充電電力制御回路５に出力された後、充電電力設定処理を終了する。すると、充電電力制御回路５によって、外部の電力供給源から供給される電力が「０」とされ、その結果、２次電池６の充電が停止され、この演算処理を終了する。
【００２６】
このように、本実施形態の情報表示装置１にあっては、２次電池６の充電中に、記憶性表示体２の互いに離れた２つの部位における温度ＴＡ、ＴＢの差の絶対値が閾値Ｔthより大きくなると、当該充電を中断させるようにした。そのため、充電動作により、２次電池６及び充電電力制御回路５が発熱し、記憶性表示体２が局所的に熱せられ、記憶性表示体２の表示面に温度ムラを生じた場合に、当該充電動作を中断することができる。それゆえ、２次電池６及び充電電力制御回路５による発熱をなくすことができ、記憶性表示体２の表示面に残っている熱を周囲に放散することで、表示面の温度ムラを抑制することができ、その結果、表示面の温度ムラによって生ずる画質の劣化を抑制することができる。
【００２７】
ここで、記憶性表示体１の表示面の温度ムラの原因となる内部回路の発熱を考えると、２次電池６の充電に関わる発熱の影響が大きい。つまり、記憶性表示体２を用いた情報表示装置１にあっては、表示画像の更新頻度が低いので、表示体駆動回路７や表示体駆動制御回路８による時間あたりの発熱量は少ない。例えば、２次電池６に４Ｗhの電気量を充電する場合に、充電電力制御回路５の電力効率が９５%であるとすると、５%は熱として放出されるため、充電電力制御回路５からの発熱量は７２０[J]となる。一方、充電動作、特に、急速充電を行う場合には、充電電力制御回路５及び２次電池６からの時間あたりの発熱量が大きく、近接する記憶性表示体２の局所的温度上昇の原因となりやすい。
【００２８】
以上、上記実施形態では、図１及び図２のサーミスタ４Ａ、４Ｂ、図２のＣＰＵ９、図４のステップＳ２０２が特許請求の範囲の温度ムラ検出手段を構成し、図２のＣＰＵ９、図４のステップＳ２０３が特許請求の範囲に記載の制御手段を構成する。
なお、本発明の充電制御回路は、上記実施の形態の内容に限定されるものではなく、本発明の趣旨を逸脱しない範囲で適宜変更可能である。
【００２９】
上記実施形態では、記憶性表示体２の面内に充電動作に起因する温度ムラが生じているか否かを判定するために、記憶性表示体２の２つの部位での温度ＴＡ、ＴＢの差の絶対値が閾値Ｔthより大きいか否かを判定する例を示したが、これに限られるものではない。例えば、図５のステップＳ２０２’に示すように、発熱源に近い部位の温度ＴＡから、発熱源から遠い部位の温度ＴＢを差し引いた値が閾値Ｔthより大きいか否かを判定するようにしてもよい。そのようにすれば、充電動作により、２次電池及び充電電力制御回路が発熱し、記憶性表示体２が局所的に熱せられ、記憶性表示体２の面内に温度ムラを生じた場合のみに、当該充電動作を停止することができる。つまり、発熱源に近い部位の温度ＴＡが、発熱源から遠い部位の温度ＴＢより閾値Ｔth分だけ小さいために、記憶性表示体２の面内に温度ムラを生じた場合には、前記充電動作が停止されてしまうことがない。
【００３０】
また、例えば、図６のステップＳ３０１〜３０７に示すように、充電電力制御回路５及び２次電池６（充電動作時の発熱源）の近傍に配された第１のサーミスタ４Ａの温度ＴＡが、充電動作時の発熱源から離れた位置に配された第２のサーミスタ４Ｂの温度ＴＢより大きい場合には、充電電力Ｗcを一定値ｋ低減し、小さい場合には、充電電力Ｗcを一定値ｋ増加するようにしてもよい。なお、その際、充電電力Ｗcは、「０」〜Ｗcmaxの範囲に制限する。そのようにすれば、発熱源に近い部位の温度ＴＡが、発熱源から遠い部位の温度ＴＢより閾値Ｔthだけ小さく、記憶性表示体２の面内に温度ムラを生じた場合には、前記充電動作による発熱量が増加され、当該温度ムラを抑制することができる。また、充電電力Ｗcを一定値ｋだけ増減させるようにしたため、充電電力Ｗcを徐々に変化させることができ、その結果、安定性の高い温度ムラ抑制のための制御が可能となる。ちなみに、上記実施形態のように、最高値Wcmaxと「０」とに切り替えて充電電力Ｗcを制御する方法によれば、充電電力制御回路５の構成をシンプルなものとすることができる。
【００３１】
また同様に、記憶性表示体２の互いに離れた２つの部位に配されたサーミスタ４Ａ、４Ｂで当該部位における記憶性表示体２の温度を検出する例を示したが、これに限られるものではない。例えば、３つ以上の部位にサーミスタで当該部位における記憶性表示体２の温度を検出するようにしてもよい。具体的には、図７に示すように、第１のサーミスタ４Ａ〜第５のサーミスタ４Ｅを、充電電力制御回路５及び２次電池６から順次遠い部位に配し、それらのサーミスタ４Ａ〜４Ｅで当該部位における記憶性表示体２の温度ＴＡ〜ＴＥを検出するようにしてもよい。そして、充電電力設定処理において、図８に示すように、温度ＴＡから温度ＴＣを減じた減算値の絶対値｜ＴＡ−ＴＣ｜、以下同様に、｜ＴＡ−ＴＤ｜、｜ＴＡ−ＴＥ｜、｜ＴＣ−ＴＤ｜、｜ＴＣ−ＴＥ｜、｜ＴＣ−ＴＢ｜、｜ＴＤ−ＴＢ｜及び｜ＴＥ−ＴＢ｜の少なくとも１つが閾値Ｔthより大きいか否かを判定する（ステップＳ４０１〜Ｓ４０８）。閾値Ｔthより大きい場合には（Ｙｅｓ）充電電力Ｗcを「０」として充電動作をｔ秒間中断し（ステップＳ４０９〜Ｓ２０４）、その後、再び元の充電電力Ｗc（Ｗcmax）を設定する（ステップＳ４１０）。そのようにすれば、記憶性表示体２上の温度ムラをより詳細に検出でき、記憶性表示体２の温度ムラをより確実に抑制することができる。
【図面の簡単な説明】
【００３２】
【図１】本発明を適用した情報表示装置の正面図及び側面図である
【図２】図１の情報表示装置の内部構成を示すブロック図である。
【図３】充電電力設定処理のフローチャートである。
【図４】充電電力低減制御処理のフローチャートである。
【図５】充電電力低減制御処理の変形例を示すフローチャートである。
【図６】充電電力低減制御処理の変形例を示すフローチャートである。
【図７】図１の情報表示装置の変形例の内部構成を示すブロック図である。
【図８】充電電力低減制御処理の変形例を示すフローチャートである。
【符号の説明】
【００３３】
１は情報表示装置、２は記憶性表示体、３は制御回路、４は温度センサ、４Ａ〜４Ｅはサーミスタ、５は充電電力制御回路、６は２次電池、７は表示体駆動回路、８は表示体駆動制御回路、９はＣＰＵ、１０はＲＡＭ、１１はＲＯＭ、１２はＡＤＣ
【図１】
2006238660.tif 000003
【図２】
2006238660.tif 000004
【図３】
2006238660.tif 000005
【図４】
2006238660.tif 000006
【図５】
2006238660.tif 000007
【図６】
2006238660.tif 000008
【図７】
2006238660.tif 000009
【図８】
2006238660.tif 000010